【手続補正書】
【提出日】平成16年11月1日(2004.11.1)
【手続補正１】
【補正対象書類名】明細書
【補正対象項目名】特許請求の範囲
【補正方法】変更
【補正の内容】
【特許請求の範囲】
【請求項１】
複数の識別情報が設定された図柄オブジェクトを可変表示装置の変動表示領域に変動表示する変動表示ゲームの制御を行う表示制御手段を備え、前記変動表示ゲームの結果態様に関連して特定の遊技価値を付与可能な遊技機において、
前記表示制御手段は、
異なる識別情報を異なる方向から貼付された立体によって、前記図柄オブジェクトを構成し、前記変動表示領域を通過するように設定された変動表示軌道に沿って前記図柄オブジェクトを複数配置する図柄オブジェクト配置手段と、
前記図柄オブジェクト配置手段によって配置された図柄オブジェクトを、前記変動表示軌道に沿って公転させて変動表示を行う第一変動表示制御手段と、
前記第一変動表示制御手段によって変動表示する図柄オブジェクトを自転させることによって、前記識別情報を切り替えて変動表示を行う第二変動表示制御手段とを備えることを特徴とする遊技機。
【請求項２】
前記表示制御手段は、
前記第一変動表示制御手段による変動表示の公転周期及び前記第二変動表示制御手段による変動表示の自転周期を選択するテーブルと、
前記テーブルから前記変動表示ゲームの結果態様に応じて前記公転周期を決定し、前記決定した公転周期に整合する前記自転周期を決定する変動周期制御手段と、を備えることを特徴とする請求項１に記載の遊技機。
【手続補正２】
【補正対象書類名】明細書
【補正対象項目名】０００７
【補正方法】変更
【補正の内容】
【０００７】
【課題を解決するための手段】
第１の発明は、複数の識別情報が設定された図柄オブジェクトを可変表示装置の変動表示領域に変動表示する変動表示ゲームの制御を行う表示制御手段を備え、前記変動表示ゲームの結果態様に関連して特定の遊技価値を付与可能な遊技機において、前記表示制御手段は、異なる識別情報を異なる方向から貼付された立体によって、前記図柄オブジェクトを構成し、前記変動表示領域を通過するように設定された変動表示軌道に沿って前記図柄オブジェクトを複数配置する図柄オブジェクト配置手段と、前記図柄オブジェクト配置手段によって配置された図柄オブジェクトを、前記変動表示軌道に沿って公転させて変動表示を行う第一変動表示制御手段と、前記第一変動表示制御手段によって変動表示する図柄オブジェクトを自転させることによって、前記識別情報を切り替えて変動表示を行う第二変動表示制御手段とを備えることを特徴とする。
【手続補正３】
【補正対象書類名】明細書
【補正対象項目名】０００８
【補正方法】変更
【補正の内容】
【０００８】
第２の発明は、第１の発明において、前記表示制御手段は、前記第一変動表示制御手段による変動表示の公転周期及び前記第二変動表示制御手段による変動表示の自転周期を選択するテーブルと、前記テーブルから前記変動表示ゲームの結果態様に応じて前記公転周期を決定し、前記決定した公転周期に整合する前記自転周期を決定する変動周期制御手段と、を備えることを特徴とする。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
【発明の作用および効果】
第１の発明では、複数の識別情報が設定された図柄オブジェクトを可変表示装置の変動表示領域に変動表示する変動表示ゲームの制御を行う表示制御手段を備え、変動表示ゲームの結果態様に関連して特定の遊技価値を付与可能な遊技機において、表示制御手段は、異なる識別情報を異なる方向から貼付された立体によって、図柄オブジェクトを構成し、変動表示領域を通過するように設定された変動表示軌道に沿って図柄オブジェクトを複数配置する図柄オブジェクト配置手段と、図柄オブジェクト配置手段によって配置された図柄オブジェクトを、変動表示軌道に沿って公転させて変動表示を行う第一変動表示制御手段と、第一変動表示制御手段によって変動表示する図柄オブジェクトを自転させることによって識別情報を切り替えて変動表示を行う第二変動表示制御手段とを備えるので、複雑な変動表示をすることができ、遊技に対する興趣を向上することができる。また、多様な変動表示の態様によって、様々な予告表示をすることが可能となる。
【手続補正１２】
【補正対象書類名】明細書
【補正対象項目名】００１７
【補正方法】変更
【補正の内容】
【００１７】
第２の発明では、表示制御手段は、第一変動表示制御手段による変動表示の公転周期及び第二変動表示制御手段による変動表示の自転周期を選択するテーブルと、テーブルから変動表示ゲームの結果態様に応じて公転周期を決定し、決定した公転周期に整合する自転周期を決定する変動周期制御手段と、を備えるので、多様な変動表示によって遊技に対する興趣を向上させることができる。
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００３３
【補正方法】変更
【補正の内容】
【００３３】
始動口７へ遊技球の入賞があると、変動表示装置４では、前述した数字で構成される表示図柄が順に変動表示する変動表示ゲームに関する画像が表示される。始動口７への入賞が所定のタイミングでなされたとき（具体的には、入賞検出時の特別図柄乱数カウンタ値が当たり値であるとき）には、大当り状態となり、三つの表示図柄が揃った状態（大当たり図柄）で停止する。このとき、特別変動入賞装置５は、大入賞口ソレノイド６（図２参照）への通電により、大入賞口を所定の時間（例えば３０秒）だけ大きく開き、遊技者は多くの遊技球を獲得することができる。すなわち、特別変動入賞装置５は、遊技球を受け入れない閉状態（遊技者に不利な状態）から遊技球を受け入れやすい開状態（遊技者に有利な状態）に変換される。
【手続補正２１】
【補正対象書類名】明細書
【補正対象項目名】００７５
【補正方法】変更
【補正の内容】
【００７５】
図７は、図柄オブジェクトの別な態様の回転による第二変動表示を説明する図である。図７に示す実施の形態では、図５に示した例と異なり、図柄オブジェクトが時計回りに回転して、図柄オブジェクトの回転軸が変化する。すなわち、この図柄オブジェクトには、識別情報を変化させる第一回転軸（図７の右上から左下方向に表示されている軸）と、図柄オブジェクトを第一回転軸と共に時計回りに回転させる第二回転軸（図７の紙面手前側から背面方向に至る軸）とを備えている。